(57)【特許請求の範囲】
【請求項１】
鴨居材と敷居材または床材との間に設けられ、引戸を収納する戸袋構造であって、
前記鴨居材と前記敷居材または前記床材との間に配置され、縦フレームおよび横フレームを有する戸袋パネルと、
上端部が前記鴨居材に当接し、下端部が前記敷居材または前記床材に当接して、上下方向に延びる中方立と、
前記戸袋パネルの縦フレームを受け入れる形状を有し、前記中方立に固定されるフレーム受入具と、
前記敷居材または前記床材に対面する底壁を有し、前記中方立に固定される中方立固定具とを備え、
前記フレーム受入具は、前記縦フレームを受け入れる断面コの字形状の壁を有し、
前記縦フレームは、断面矩形形状である、戸袋構造。
【請求項２】
前記フレーム受入具の高さ寸法は、前記縦フレームの高さ寸法と略同一であるか、前記縦フレームの高さ寸法よりも大きい、請求項１に記載の戸袋構造。
【請求項３】
前記中方立固定具は、前記中方立に対面する立壁を含む、請求項１または２に記載の戸袋構造。
【請求項４】
前記フレーム受入具と前記中方立固定具とは、一体的に形成される、請求項１〜３のいずれかに記載の戸袋構造。
【請求項５】
前記縦フレームは、木製材料で形成される縦材と、金属材料で形成され、前記縦材に重ね合わされる補強材とを含み、
前記補強材は、前記フレーム受入具に受け入れられる、請求項１〜４のいずれかに記載の戸袋構造。
【請求項６】
前記中方立は、前記フレーム受入具を受け入れる断面矩形の溝を有している、請求項１〜５のいずれかに記載の戸袋構造。
【請求項７】
前記フレーム受入具は、前記中方立の溝の外へ突出する長さを有している、請求項６に記載の戸袋構造。
【発明の詳細な説明】
【技術分野】
【０００１】
この発明は、引戸を収納する戸袋構造に関する。
【背景技術】
【０００２】
従来、建物の内部において、出入口を開閉するための建具として、鴨居材および敷居材に形成される溝やレールに沿って、出入口を開閉させる引戸が多用されている。この引戸を開けたときに、引戸を収納させる構造として、戸袋が知られている。
【０００３】
このような戸袋は、たとえば、鴨居材と敷居材との間に垂直に設けられる中方立と、中方立に取り付けられる戸袋パネルとを備える。中方立の施工に際し、中方立は、固定箇所が少なく、床面に固定する際には技術を要することが知られている。
【０００４】
一方で、特開２００５−１３９７４９号公報（特許文献１）には、枠体の反りや変形を回避するために、ロの字断面形状またはコの字断面形状の補強金物を、枠体の間に接合一体化した戸袋パネルが開示されている。
【先行技術文献】
【特許文献】
【０００５】
【特許文献１】特開２００５−１３９７４９号公報
【発明の概要】
【発明が解決しようとする課題】
【０００６】
しかしながら、特許文献１に示される戸袋パネルは、枠体やパネルなど、取り付け精度を要する複数の部材を現場で取り付ける必要があるため、取り付け施工に時間がかかる。
【０００７】
また、中方立の施工に際し、中方立は、固定箇所が少ないため技術を要するとともに、固定精度が低い。
【０００８】
本発明は、上記のような課題を解決するためになされたものであって、その目的は、施工時間の短縮と施工精度の向上が可能な戸袋構造を提供することである。
【課題を解決するための手段】
【０００９】
この目的のため本発明による戸袋構造は、鴨居材と敷居材または床材との間に設けられ、引戸を収納する戸袋構造であって、鴨居材と敷居材または床材との間に配置され、縦フレームおよび横フレームを有する戸袋パネルと、上端部が鴨居材に当接し、下端部が敷居材または床材に当接して、上下方向に延びる中方立と、戸袋パネルの縦フレームを受け入れる形状を有し、中方立に固定されるフレーム受入具と、敷居材に対面する底壁を有し、中方立に固定される中方立固定具とを備える。
【００１０】
好ましくは、フレーム受入具は、縦フレームを受け入れる断面コの字形状の壁を有し、縦フレームは、断面矩形形状である。
【００１１】
好ましくは、フレーム受入具の高さ寸法は、縦フレームの高さ寸法と略同一であるか、縦フレームの高さ寸法よりも大きい。
【００１２】
好ましくは、中方立固定具は、中方立に対面する立壁を含む。
【００１３】
好ましくは、フレーム受入具と中方立固定具とは、一体的に形成される。
【００１４】
好ましくは、縦フレームは、木製材料で形成される縦材と、金属材料で形成され、縦材に重ね合わされる補強材とを含む。補強材は、フレーム受入具に受け入れられる。
【００１５】
好ましくは、前記中方立は、前記フレーム受入具を受け入れる断面矩形の溝を有している。
【００１６】
好ましくは、フレーム受入具は、中方立の溝の外へ突出する長さを有している。
【発明の効果】
【００１７】
本発明によれば、施工時間の短縮と施工精度の向上が可能な戸袋構造を提供することができる。
【図面の簡単な説明】
【００１８】
【図１】本発明の実施の形態に係る戸袋構造を用いた片引戸を模式的に示す図である。
【図２】図１のＩＩ−ＩＩ線に沿う断面図である。
【図３】図２のＩＩＩ−ＩＩＩ線に沿う正面図である。
【図４】本発明の実施の形態に係る戸袋構造の一部分を示す分解斜視図である。
【図５】図４のＶ−Ｖ線に沿う断面図である。
【図６】図４のＶＩ−ＶＩ線に沿う側面図である。
【図７】フレーム受入具と中方立固定具とを取り出して示す斜視図である。
【図８】図４の底面図である。
【図９】本発明の実施の形態に係る戸袋構造を用いた引込戸を示す図２に対応する断面図である。
【発明を実施するための形態】
【００１９】
本発明の実施の形態について図面を参照しながら詳細に説明する。なお、図中同一または相当部分には同一符号を付してその説明は繰り返さない。
【００２０】
本実施の形態に係る戸袋構造は、出入口が開けられるときに引戸が収納される構造であり、鴨居材と敷居材との間に設けられる。鴨居材は、天井に直接的に設けられる部材であってもよいし、別部材を介して間接的に天井に設けられる部材であってもよい。敷居材は、床材そのものであってもよいし、床材とは異なる部材であってもよい。
【００２１】
以下に、図１を参照して、本実施の形態に係る戸袋構造１について詳細に説明する。本実施の形態では、図１において矢印Ａ１で示す方向を左右方向とし、矢印Ａ２で示す方向を上下方向とする。
【００２２】
本実施の形態に係る戸袋構造１は、出入り口が開けられたときに片引戸２が収納される場所に形成される。戸袋構造１は、鴨居材３と敷居材４または床材との間に設けられる。鴨居材３および敷居材４との両端側には、鴨居材３を支持する１対の方立５が上下方向に設けられていてもよい。なお、敷居材４には、片引戸２が摺動可能に嵌合されるガイド溝６が形成されていてもよい。
【００２３】
図２〜４を参照して、戸袋構造１は、戸袋パネル１０と、戸袋パネル１０を受け入れるフレーム受入具４０および中方立固定具５０と、フレーム受入具４０および中方立固定具５０が取り付けられる中方立２０とを備える。戸袋構造１は、左側から、戸袋パネル１０、フレーム受入具４０および中方立固定具５０、中方立２０の順に並べられ、固定されている。つまり、戸袋パネル１０は、フレーム受入具４０および中方立固定具５０を介して、中方立２０に間接的に取り付けられている。なお、戸袋構造１の片引戸２を収納する側の全面には、板材１５が取り付けられ、戸袋構造１の外側の全面には、化粧材１４が取り付けられている。戸袋構造１は、たとえば、横幅Ｌ１は、６００〜１５００ｍｍ程度である。さらに、高さＬ２は、２７００ｍｍ以下であり、望ましくは２４００ｍｍ以下である。
【００２４】
戸袋パネル１０は、鴨居材３と敷居材４との間に配置され、戸袋パネル１０の外枠を形成する１対の縦フレーム１１および１対の横フレーム１２を有する。縦フレーム１１は、断面矩形形状であり、鴨居材３と敷居材４との間で上下方向に配置されている。横フレーム１２は、木製材料で形成され、鴨居材３と敷居材４との間で左右方向に配置されている。ここでは、フレーム１１，１２の上端が、鴨居材３の上端と同じ高さである場合や、フレーム１１，１２の下端が、敷居材４と同じ高さである場合も含まれる。また、中方立２０側に位置する縦フレーム１１は、木製材料で形成される縦材１３と、金属材料で形成され、縦材１３に重ね合わされる補強材３０とを含んでいることが望ましい。
【００２５】
図５を参照して、補強材３０は、上下方向に延びる矩形形状である。補強材３０は、中空形状の鋼製スタッドであってもよい。補強材３０のフレーム受入具４０に対面する面と、縦材１３に対面する面には、それぞれ断面矩形の溝が形成されていてもよい。なお、補強材３０と縦材１３とは、左右方向にネジ４７が所定間隔で打ち込まれることにより、一体的に形成されていてもよい。
【００２６】
図６〜８をさらに参照して、フレーム受入具４０は、縦フレーム１１を受け入れる断面コの字形状の壁を有する。具体的には、フレーム受入具４０は、縦フレーム１１の補強材３０を受け入れる形状を有し、中方立２０に固定される。フレーム受入具４０の壁は、立壁４１と、立壁４１の両端から縦フレーム１１を受け入れる方向に突出する突出壁４２とを含む。このような構造とされることで、フレーム受入具４０の断面略コの字形状の部分に補強材３０が受け入れられる。なお、フレーム受入具４０の突出壁４２は、後述する中方立２０の溝２１の外へ突出する長さを有している。
【００２７】
フレーム受入具４０の高さ寸法は、縦フレーム１１の高さ寸法と略同一であることが望ましく、補強材３０や縦材１３の高さ寸法よりも大きくてもよい。なお、補強材３０は、フレーム受入具４０に受け入れられるため、一対の突出壁４２を合わせた厚さ分だけ縦材１３よりも薄く形成されていてもよい。
【００２８】
図７，８を特に参照して、中方立固定具５０は、フレーム受入具４０の下方端に設けられる。中方立固定具５０は、側面視略Ｌ字形状であり、少なくとも敷居材４に対面する底壁５２を含み、中方立２０の溝２１に対面する立壁５１を含むことが望ましい。なお、中方立固定具５０の立壁５１が、フレーム受入具４０の立壁４１の下端部に取り付けられることで、フレーム受入具４０と中方立固定具５０とが一体的に形成されていることが望ましい。一体的に形成されたフレーム受入具４０と中方立固定具５０は、あらかじめ中方立２０に固定されていることが望ましい。
【００２９】
図３，４を特に参照して、中方立２０は、上端部２４が鴨居材３に当接し、下端部２５が敷居材４に当接して上下方向に延びる。この場合、中方立２０の上端部２４が鴨居材３に当接するとは、中方立２０の上端が鴨居材３に当接することだけではなく、中方立２０の上端部の一方の側面が鴨居材３に接することも含む。
【００３０】
中方立２０は、木製材料で形成され、断面コの字形状のフレーム受入具４０を受け入れる断面矩形の溝２１を有することが望ましい。このような構造とされることで、中方立２０の溝２１に、フレーム受入具４０の壁４１，４２がそれぞれ受け入れられる。
【００３１】
次に、図４〜６を参照して、戸袋構造１の施工手順について説明する。中方立２０には、一体成形されたフレーム受入具４０および中方立固定具５０が、あらかじめ所定間隔をあけてネジ４５で固定されているものとして説明する。
【００３２】
まず、床と天井に固定させた方立５に対し、鴨居材３を固定させる。次に、フレーム受入具４０の立壁４１の上方側から、鴨居材３に向かって水平方向（右側方向）にネジ４４を打ち込んで、鴨居材３と中方立２０の上端部２４とを固定させる。さらに、中方立２０と敷居材４とは、中方立固定具５０の底壁５２から敷居材４に向かって垂直方向（下方向）にネジ４８が打ち込んで固定させる。
【００３３】
これにより、中方立２０は、鴨居材３と水平方向に向かうネジ４４によって固定され、敷居材４と垂直方向に向かうネジ４８によって固定される。したがって、フレーム受入具４０および中方立固定具５０を用いることで、高度な技術や、慎重な作業を行わずとも中方立２０の固定精度を上げることができ、施工時間も短縮することができる。
【００３４】
次に、図６に示すように、縦フレーム１１の補強材３０は、ネジ４８上に置かれ、フレーム受入具４０の壁４１，４２の間に挟まれる。フレーム受入具４０の突出壁４２は、中方立２０の溝２１の外へ突出している。そのため、フレーム受入具４０と補強材３０とは、中方立２０から突出している突出壁４２側から、所定間隔をあけてネジ４６で固定される。
【００３５】
これにより、戸袋パネル１０と中方立２０との固定は、縦フレーム１１の補強材３０をフレーム受入具４０に差し込み、フレーム受入具４０と水平方向に固定する、という簡単な作業ですむため、施工時間を短縮することができる。また、フレーム受入具４０の突出壁４２は、中方立２０の溝２１から外へ突出する長さを有するため、戸袋パネル１０への面外方向からの力に対しても強度が増す。
【００３６】
さらに、中方立２０とフレーム受入具４０と中方立固定具５０とをあらかじめユニット化し、１対の縦フレーム１１と１対の横フレーム１２とをあらかじめ戸袋パネル１０としてユニット化して現場に納入することで、現場での組み立て部材を減らし、施工時間の短縮を図ることができる。
【００３７】
なお、本実施の形態では、戸袋構造１を、片引戸２に用いることとしたが、これに限定されない。たとえば、図９に示すように、戸袋構造１Ａを引込戸２Ａに用いてもよい。本実施の形態との相違点のみ説明すると、戸袋構造１Ａは、引込戸２Ａを介して１対設けられる。中方立２０Ａは、断面略Ｌ字形状であり、引込戸２Ａ側には、化粧材などの板材は設けられていない。
【００３８】
また、フレーム受入具４０と中方立固定具５０とは、一体的に形成されている場合を説明したが、この構造に限られない。たとえば、中方立固定具５０の底壁５２を、フレーム受入具４０の突出壁４２の下端を掛け渡す箱型形状とし、フレーム受入具４０の立壁４１と中方立固定具５０の立壁５１とを同一面としてもよい。
【００３９】
また、本実施の形態における中方立２０は、コの字形状であるとしたが、溝２１を有さない断面矩形形状であってもよい。この場合、フレーム受入具４０は、中方立の平面に取り付けられる。
【００４０】
さらに、縦フレーム１１は、縦材１３と補強材３０とから構成され、補強材３０がフレーム受入具４０に受け入れられるとしたが、限定的ではない。縦フレーム１１は、木製材料や金属材料の縦材１３のみで形成され、縦材１３がフレーム受入具４０に受け入れられてもよい。
【００４１】
上記の実施の形態において、引戸が１枚である場合を説明したが、これに限定されず、引戸は、複数枚設けられていてもよい。
【００４２】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４３】
１  戸袋構造、２  片引戸、２Ａ  引込戸、３  鴨居材、４  敷居材、５  方立、６  ガイド溝、１０  戸袋パネル、１１  縦フレーム、１２  横フレーム、１３縦材、１４  化粧材、１５  板材、２０  中方立、２１  溝、２４  上端部、２５  下端部、３０  補強材、４０  フレーム受入具、４１  立壁、４２  突出壁、４４〜４８  ネジ、５０  中方立固定具、５１  立壁、５２  底壁、１００  片引戸、１００Ａ  引込戸。
【図１】
0006474637.tif 000002
【図２】
0006474637.tif 000003
【図３】
0006474637.tif 000004
【図４】
0006474637.tif 000005
【図５】
0006474637.tif 000006
【図６】
0006474637.tif 000007
【図７】
0006474637.tif 000008
【図８】
0006474637.tif 000009
【図９】
0006474637.tif 000010